(57)【要約】【課題】現像カートリッジが加熱されることを抑制できる梱包を提供すること。【解決手段】  現像カートリッジ３の梱包１は、現像カートリッジ３と、現像カートリッジ３を収容し、密閉された袋４と、袋４の外から現像カートリッジ３の一端部３Ａに取り付けられる第１緩衝材５と、袋４の外から現像カートリッジ３の他端部３Ｂに取り付けられる第２緩衝材６と、第１緩衝材５および第２緩衝材６が取り付けられた現像カートリッジ３を収容する箱２と、箱２内に収容され、箱２の内面と袋４との間に位置し、熱の伝達を遮断する第１遮断部材７とを備える。【選択図】図４
2017105521.tif 000002
【特許請求の範囲】
【請求項１】
第１方向に延びる現像ローラを備える現像カートリッジであって、前記第１方向における一端部と、前記第１方向において前記一端部と間隔を隔てて位置する他端部と、を有する現像カートリッジと、
前記現像カートリッジを収容し、密閉された袋と、
前記袋の外から前記現像カートリッジの前記一端部に取り付けられる第１緩衝材と、
前記袋の外から前記現像カートリッジの前記他端部に取り付けられる第２緩衝材と、
前記第１緩衝材および前記第２緩衝材が取り付けられた前記現像カートリッジを収容する箱と、
前記第１方向に延び、輻射熱を遮断する第１遮断部材であって、前記箱内に収容され、前記第１方向と直交する第２方向において、前記箱の内面と前記袋との間に位置する第１遮断部材と、
を備えることを特徴とする、現像カートリッジの梱包。
【請求項２】
前記第１遮断部材は、前記箱の内面に向かい合う面を有し、
前記面は、アルミニウムからなることを特徴とする、請求項１に記載の現像カートリッジの梱包。
【請求項３】
前記第１緩衝材は、前記現像カートリッジの前記一端部を被覆し、
前記第２緩衝材は、前記現像カートリッジの前記他端部を被覆することを特徴とする、請求項１または２に記載の現像カートリッジの梱包。
【請求項４】
さらに、前記第１方向に延び、輻射熱を遮断する第２遮断部材であって、前記箱内に収容され、前記第２方向において、前記現像カートリッジに対して前記第１遮断部材の反対側に位置し、かつ、前記箱の内面と前記袋との間に位置する第２遮断部材を備えることを特徴とする、請求項１〜３のいずれか一項に記載の現像カートリッジの梱包。
【発明の詳細な説明】
【技術分野】
【０００１】
本発明は、現像カートリッジの梱包に関する。
【背景技術】
【０００２】
従来、現像カートリッジを梱包箱に梱包して、画像形成装置とは別に輸送することが知られている（下記特許文献１参照。）。現像カートリッジは、内部にトナーを収容している。現像カートリッジは、画像形成装置に対して着脱可能である。
【先行技術文献】
【特許文献】
【０００３】
【特許文献１】特開２０１５−１２３９８８号公報
【発明の概要】
【発明が解決しようとする課題】
【０００４】
上記した特許文献１のような梱包は、輸送時や保管時に、日射等により加熱される場合がある。
【０００５】
この場合、現像カートリッジは、画像形成装置に装着されているときよりも高温になるおそれがある。
【０００６】
そこで、本開示の目的は、現像カートリッジが加熱されることを抑制できる梱包を提供することにある。
【課題を解決するための手段】
【０００７】
（１）本発明の現像カートリッジの梱包は、第１方向に延びる軸線について回転可能な現像ローラを備える現像カートリッジであって、第１方向における一端部と、第１方向において一端部と間隔を隔てて位置する他端部と、を有する現像カートリッジと、現像カートリッジを収容し、密閉された袋と、袋の外から現像カートリッジの一端部に取り付けられる第１緩衝材と、袋の外から現像カートリッジの他端部に取り付けられる第２緩衝材と、第１緩衝材および第２緩衝材が取り付けられた現像カートリッジを収容する箱と、第１方向に延び、輻射熱を遮断する第１遮断部材であって、箱内に収容され、第１方向と直交する第２方向において、箱の内面と袋との間に位置する第１遮断部材と、を備える。
（２）第１遮断部材は、箱の内面に向かい合う面を有してもよい。面は、アルミニウムからなってもよい。
（３）第１緩衝材は、現像カートリッジの一端部を被覆してもよい。第２緩衝材は、現像カートリッジの他端部を被覆してもよい。
（４）さらに、第１方向に延び、輻射熱を遮断する第２遮断部材であって、箱内に収容され、第２方向において、現像カートリッジに対して第１遮断部材の反対側に位置し、かつ、箱の内面と袋との間に位置する第２遮断部材を備えてもよい。
【発明の効果】
【０００８】
本発明の現像カートリッジの梱包によれば、現像カートリッジが加熱されることを抑制できる。
【図面の簡単な説明】
【０００９】
【図１】図１は、本発明の現像カートリッジの梱包の一実施形態を示す斜視図である。
【図２】図２Ａは、図１に示す第１遮断部材の平面図である。図２Ｂは、図２Ａに示す第１遮断部材の側面図である。
【図３】図３は、図１に示す梱包の第１方向に沿う断面図である。
【図４】図４は、図３に示す梱包のＡ−Ａ断面図である。
【発明を実施するための形態】
【００１０】
１．梱包１の概略
図１を参照して、梱包１の概略について説明する。
【００１１】
梱包１は、箱２と、現像カートリッジ３と、袋４と、第１緩衝材５と、第２緩衝材６とを備える。梱包１は、箱２の中に現像カートリッジ３が梱包された梱包である。現像カートリッジ３は、袋４に収容され、第１緩衝材５および第２緩衝材６が取り付けられた状態で、箱２内に梱包される。
【００１２】
１．１  箱２
箱２は、第１緩衝材５および第２緩衝材６が取り付けられた現像カートリッジ３を収容可能なサイズを有する。箱２は、例えば、段ボールからなる。箱２は、中空の直方体である。箱２は、図１および図３に示すように、第１方向において、第１内面２Ａと、第１内面２Ａに対して間隔を隔てて位置する第２内面２Ｂとを有する。また、箱２は、第１方向と直交する第２方向において、第３内面２Ｃと、第３内面２Ｃに対して間隔を隔てて位置する第４内面２Ｄとを有する。また、箱２は、図１および図４に示すように、第１方向および第２方向の両方と直交する第３方向において、第５内面２Ｅと、第５内面２Ｅに対して間隔を隔てて位置する第６内面２Ｆとを有する。
【００１３】
１．２  現像カートリッジ３
現像カートリッジ３は、内部に現像剤を収容している。現像剤は、例えば、トナーである。現像剤は、例えば、粉状であり、着色剤およびワックスを含む樹脂からなる。また、現像カートリッジ３は、現像ローラと、アジテータとを備えている。現像ローラは、第１方向に延びる軸線について回転可能である。現像ローラは、現像剤を担持可能である。アジテータは、現像カートリッジ３の内部に設けられる。アジテータは、現像剤を撹拌可能である。現像カートリッジ３は、第１方向に延びる。現像カートリッジ３は、第１方向において、一端部３Ａと、一端部３Ａと間隔を隔てて位置する他端部３Ｂとを有する。一端部３Ａには、カップリングおよびギア列が設けられる。カップリングは、現像カートリッジ３が画像形成装置に装着されたときに、画像形成装置からの駆動力を受ける。ギア列は、カップリングからの駆動力を、現像ローラおよびアジテータに伝達し、現像ローラおよびアジテータを駆動する。他端部３Ｂには、現像ローラに電力を供給するための電極が、設けられる。
【００１４】
１．３  袋４
袋４は、現像カートリッジ３を収容可能なサイズを有する。袋４は、現像カートリッジ３を収容した状態で、密閉されている。袋４は、例えば、ラミネートフィルムからなる。ラミネートフィルムは、例えば、アルミニウム箔の表面に樹脂フィルムがラミネートされることにより作られる。袋４は、湿気を遮断する。これにより、袋４は、現像カートリッジ３の現像剤が吸湿することを、防止する。
【００１５】
１．４  第１緩衝材５および第２緩衝材６
第１緩衝材５は、袋４の外から現像カートリッジ３の一端部３Ａに取り付けられる。第１緩衝材５は、第１方向において、現像カートリッジ３の一端部３Ａを被覆する。詳しくは、第１緩衝材５は、第１方向における外面５Ａを有する。外面５Ａは、第１緩衝材５が一端部３Ａに取り付けられた状態で、第１方向において、一端部３Ａよりも他端部３Ｂから遠くに位置する。第１緩衝材５は、第１方向において、外面５Ａによって一端部３Ａを被覆する。第１緩衝材５は、梱包１に加わる熱や衝撃が現像カートリッジ３の一端部３Ａに伝わることを抑制する。これにより、第１緩衝材５は、カップリングおよびギア列を保護する。
【００１６】
第２緩衝材６は、袋４の外から現像カートリッジ３の他端部３Ｂに取り付けられる。第２緩衝材６は、第１方向において、現像カートリッジ３の他端部３Ｂを被覆する。詳しくは、第２緩衝材６は、第１方向における外面６Ａを有する。外面６Ａは、第２緩衝材６が他端部３Ｂに取り付けられた状態で、第１方向において、他端部３Ｂよりも一端部３Ａから遠くに位置する。第２緩衝材６は、第１方向において、外面６Ａによって他端部３Ｂを被覆する。第２緩衝材６は、梱包１に加わる熱や衝撃が現像カートリッジ３の他端部３Ｂに伝わることを抑制する。これにより、第２緩衝材６は、電極を保護する。
【００１７】
第１緩衝材５および第２緩衝材６は、例えば、ポリスチレンやポリプロピレンの発泡体からなる。第１緩衝材５および第２緩衝材６は、梱包１に加わる振動などにより現像カートリッジ３が箱２内で移動することも抑制する。
【００１８】
２．第１遮断部材７および第２遮断部材８
梱包１は、さらに、第１遮断部材７および第２遮断部材８を備える。第１遮断部材７および第２遮断部材８は、輻射熱を、反射することにより遮断する部材である。以下、図１〜図４を参照して、第１遮断部材７および第２遮断部材８について説明する。なお、第１遮断部材７と第２遮断部材８とは、同じ形状および構造を有する。そのため、以下の説明においては、第１遮断部材７の形状および構造について詳細に説明し、第２遮断部材８の形状および構造についての説明を省略する。
【００１９】
２．１  第１遮断部材７および第２遮断部材８の形状
図２Ａを参照して、第１遮断部材７および第２遮断部材８の形状について説明する。
【００２０】
第１遮断部材７は、図２Ａに示すように、第１方向に延びるシートである。第１遮断部材７は、第１部分７Ａと、第２部分７Ｂとを備える。
【００２１】
第１部分７Ａは、第１方向に延びる。第１部分７Ａは、第１遮断部材７の厚み方向に見て、矩形状を有する。第１部分７Ａは、箱２の第３内面２Ｃに対応したサイズを有する。これにより、第１部分７Ａの縁は、第１遮断部材７が箱２に収容されたときに、第１方向において、箱２の第５内面２Ｅおよび第６内面２Ｆに沿う。また、第１部分７Ａの縁は、第１遮断部材７が箱２に収容されたときに、第３方向において、箱２の第１内面２Ａおよび第２内面２Ｂに沿う。
【００２２】
第２部分７Ｂは、第１方向および厚み方向の両方と直交する方向において、第１部分７Ａの縁から突出する。第２部分７Ｂの長さは、第１方向において、第１部分７Ａの長さよりも短い。第２部分７Ｂは、第１方向において、第１緩衝材５と第２緩衝材６との間隔に対応したサイズを有する。第２部分７Ｂは、第１遮断部材７の厚み方向に見て、矩形状を有する。
【００２３】
なお、図１に示すように、第２遮断部材８は、第１遮断部材７と同じ形状を有する。すなわち、第２遮断部材８は、第１遮断部材７と同様に、第１部分８Ａおよび第２部分８Ｂを備える。
【００２４】
詳しくは、第１部分８Ａは、箱２の第４内面２Ｄに対応したサイズを有する。これにより、第１部分８Ａの縁は、第１遮断部材８が箱２に収容されたときに、第１方向において、箱２の第５内面２Ｅおよび第６内面２Ｆに沿う。また、第１部分８Ａの縁は、第１遮断部材８が箱２に収容されたときに、第３方向において、箱２の第１内面２Ａおよび第２内面２Ｂに沿う。
【００２５】
また、第２部分８Ｂの長さは、第１方向において、第１部分８Ａの長さよりも短い。第２部分８Ｂは、第１方向において、第１緩衝材５と第２緩衝材６との間隔に対応したサイズを有する。
【００２６】
２．２  第１遮断部材７および第２遮断部材８の構造
図２Ｂを参照して、第１遮断部材７および第２遮断部材８の構造について説明する。
【００２７】
第１遮断部材７は、図２Ｂに示すように、厚み方向において、基材層９と、光沢層１０とを有する。
【００２８】
基材層９は、例えば、ポリエチエンテレフタレート（ＰＥＴ）などの樹脂や、紙などからなる。基材層９に用いることができる紙としては、例えば、光沢層１０から剥離可能な表面を有する紙や、光沢層１０から剥離可能な粘着層を有する紙などが挙げられる。基材層９は、第１面Ｓ１を有する。第１面Ｓ１は、厚み方向において、第１遮断部材７の一方の面である。基材層９の厚みは、例えば、１０μｍ以上、好ましくは、５０μｍ以上である。また、基材層９の厚みは、例えば、２００μｍ以下、好ましくは、１００μｍ以下である。
【００２９】
光沢層１０は、厚み方向において、基材層９に積層されている。光沢層１０は、例えば、アルミニウムなどの金属からなる。光沢層１０は、第２面Ｓ２を有する。すなわち、第２面Ｓ２は、例えば、アルミニウムなどの金属からなる。第２面Ｓ２は、厚み方向において、第１遮断部材７の他方の面である。第２面Ｓ２は、厚み方向において、第１面Ｓ１とは反対側の面である。光沢層１０の厚みは、例えば、１μｍ以上、好ましくは、５μｍ以上である。また、光沢層１０の厚みは、例えば、１００μｍ以下、好ましくは、５０μｍ以下である。
【００３０】
なお、第２遮断部材８は、第１遮断部材７と同じ積層構造を有する。すなわち、第２遮断部材８は、第１遮断部材７と同様に、基材層９からなる第１面Ｓ１、および、光沢層１０からなる第２面Ｓ２を有する。
【００３１】
２．３  第１遮断部材７および第２遮断部材８の配置
図１、図３および図４を参照して、第１遮断部材７および第２遮断部材８の配置について説明する。
【００３２】
第１遮断部材７は、図１に示すように、第１部分７Ａと第２部分７Ｂとの境界部分において屈曲された状態で、箱２に収容される。第１部分７Ａと第２部分７Ｂとの境界部分は、図１中に点線で示される。第１遮断部材７が屈曲された状態で、第１部分７Ａは、第３方向に延び、第２部分７Ｂは、第２方向に延びる。
【００３３】
第１部分７Ａは、図３および図４に示すように、第２方向において、現像カートリッジ３を覆う。詳しくは、第１部分７Ａは、第２方向において、箱２の第３内面２Ｃと、第１緩衝材５および第２緩衝材６との間に位置する。第１部分７Ａは、第２方向において、袋４に対して間隔を隔てている。第１部分７Ａは、第２方向において、箱２の第３内面２Ｃと袋４との間に位置する。第１部分７Ａの第２面Ｓ２は、箱２の第３内面２Ｃに向かい合う。第１部分７Ａの第２面Ｓ２は、第１部分７Ａの第１面Ｓ１に対して、現像カートリッジ３の反対側に位置する。また、第１部分７Ａの第１面Ｓ１は、第１部分７Ａの第２面Ｓ２に対して、箱２の第３内面２Ｃの反対側に位置する。
【００３４】
第２部分７Ｂは、図４に示すように、第３方向において、箱２の第５内面２Ｅと、袋４との間に位置する。また、第２部分７Ｂは、図１に示すように、第１方向において、第１緩衝材５と第２緩衝材６との間に位置する。第２部分７Ｂの第２面Ｓ２は、箱２の第５内面２Ｅに向かい合う。第２部分７Ｂの第２面Ｓ２は、第２部分７Ｂの第１面Ｓ１に対して、現像カートリッジ３の反対側に位置する。また、第２部分７Ｂの第１面Ｓ１は、第２部分７Ｂの第２面Ｓ２に対して、箱２の第５内面２Ｅの反対側に位置する。
【００３５】
第２遮断部材８は、現像カートリッジ３に対して第１遮断部材７の反対側に位置する。第２遮断部材８は、第１遮断部材７と同様に、第１部分８Ａと第２部分８Ｂとの境界部分において屈曲された状態で、箱２に収容される。第２遮断部材８が屈曲された状態で、第１部分８Ａは、第３方向に延び、第２部分８Ｂは、第２方向に延びる。
【００３６】
第１部分８Ａは、図３および図４に示すように、第２方向において、現像カートリッジ３に対して、第１部分７Ａの反対側に位置する。第１部分８Ａは、第２方向において、現像カートリッジ３を覆う。第１部分８Ａは、第２方向において、箱２の第４内面２Ｄと、第１緩衝材５および第２緩衝材６との間に位置する。第１部分８Ａは、第２方向において、袋４に対して間隔を隔てている。第１部分８Ａは、第２方向において、箱２の第４内面２Ｄと袋４との間に位置する。第１部分８Ａの第２面Ｓ２は、箱２の第４内面２Ｄに向かい合う。第１部分８Ａの第２面Ｓ２は、第１部分８Ａの第１面Ｓ１に対して、現像カートリッジ３の反対側に位置する。また、第１部分８Ａの第１面Ｓ１は、第１部分８Ａの第２面Ｓ２に対して、箱２の第４内面２Ｄの反対側に位置する。
【００３７】
第２部分８Ｂは、図４に示すように、第３方向において、現像カートリッジ３に対して、第２部分７Ｂの反対側に位置する。第２部分８Ｂは、第３方向において、箱２の第６内面２Ｆと、袋４との間に位置する。また、第２部分８Ｂは、図１に示すように、第１方向において、第１緩衝材５と第２緩衝材６との間に位置する。第２部分８Ｂの第２面Ｓ２は、箱２の第６内面２Ｆに向かい合う。第２部分８Ｂの第２面Ｓ２は、第２部分８Ｂの第１面Ｓ１に対して、現像カートリッジ３の反対側に位置する。また、第２部分８Ｂの第１面Ｓ１は、第２部分８Ｂの第２面Ｓ２に対して、箱２の第６内面２Ｆの反対側に位置する。
【００３８】
４．梱包１の保管
図３および図４を参照して、梱包１の保管について説明する。
【００３９】
梱包１は、図３および図４に示すように、保管されるときに、第２方向が鉛直方向に沿うように、水平面に載置される。梱包１が水平面に載置されている状態において、第１遮断部材７の第１部分７Ａは、現像カートリッジ３の上に位置する。また、第２遮断部材８の第１部分８Ａは、現像カートリッジ３の下に位置する。
【００４０】
５．作用効果
梱包１は、例えば、窓際等に載置された場合、日射により加熱されるおそれがある。このとき、現像カートリッジ３の温度が高くなり過ぎると、内部の現像剤が変質するおそれがある。
【００４１】
ここで、梱包１は、図４に示すように、第１遮断部材７および第２遮断部材８を備える。第１遮断部材７および第２遮断部材８は、現像カートリッジ３を覆っている。また、第１遮断部材７の第２面Ｓ２は、箱２の第３内面２Ｃおよび第５内面２Ｅに向かい合う。また、第２遮断部材８の第２面Ｓ２は、箱２の第４内面２Ｄおよび第６内面２Ｆに向かい合う。第１遮断部材７の第２面Ｓ２、および、第２遮断部材８の第２面Ｓ２は、アルミニウムなどの金属からなる。
【００４２】
これにより、第１遮断部材７および第２遮断部材８は、梱包１の箱２が加熱された場合に、箱２からの輻射熱を、第２面Ｓ２によって反射する。つまり、第１遮断部材７および第２遮断部材８は、箱２から現像カートリッジ３への輻射熱を遮断する。
【００４３】
また、袋４は、第１遮断部材７および第２遮断部材８に対して間隔を隔てている。
【００４４】
これにより、第１遮断部材７および第２遮断部材８から袋４に対する熱の伝導が抑制される。
【００４５】
さらに、現像カートリッジ３は、袋４に収容されている。
【００４６】
そのため、袋４により、第１遮断部材７および第２遮断部材８から現像カートリッジ３に対する熱の伝導が、さらに遮断される。
【００４７】
また、図３に示すように、現像カートリッジ３の一端部３Ａは、第１緩衝材５によって被覆される。現像カートリッジ３の他端部３Ｂは、第２緩衝材６によって被覆される。そのため、第１緩衝材５および第２緩衝材６により、箱２から一端部３Ａおよび他端部３Ｂへの熱の伝導が、遮断される。
【００４８】
以上のことから、梱包１は、現像カートリッジ３の温度上昇を抑制し、内部の現像剤が変質することを防止することができる。
【００４９】
６．変形例
（１）上記した実施形態では、第１遮断部材７および第２遮断部材８は、光沢層１０からなる第２面Ｓ２を有するシートとして構成されている。しかし、第１遮断部材７および第２遮断部材８の形状および構造は、輻射熱を反射することができればよい。例えば、第１遮断部材７および第２遮断部材８の形状は、フィルムでもよく、フィルムよりも厚い板でもよい。
（２）上記した実施形態では、第１遮断部材７および第２遮断部材８により、第２方向および第３方向において、現像カートリッジ３を両側から覆っているが、少なくとも、梱包１に対する熱源の方向に遮断部材を設ければよい。例えば、日射が梱包１の上面に集中する場合、現像カートリッジ３の上に第１遮断部材７を設け、現像カートリッジ３の下には、第２遮断部材８を設けないこともできる。
【符号の説明】
【００５０】
１      梱包
２      箱
３      現像カートリッジ
３Ａ    一端部
３Ｂ    他端部
４      袋
５      第１緩衝材
６      第２緩衝材
７      第１遮断部材
８      第２遮断部材
Ｓ２    第２面
【図１】
2017105521.tif 000003
【図２】
2017105521.tif 000004
【図３】
2017105521.tif 000005
【図４】
2017105521.tif 000006